(57)【特許請求の範囲】
【請求項１】
光回線終端装置（ＯＬＴ）であって、
光ネットワークユニット（ＯＮＵ）からアップストリームメッセージを受信するように構成された受信器であって、前記アップストリームメッセージは相関タグを含み、前記相関タグは一意の数を表し、かつ前記ＯＮＵのアップストリーム波長およびアップストリーム出力のうちの少なくとも１つを示し、前記一意の数は、前記ＯＮＵがアップストリーム光信号の波長および出力のうちの少なくとも１つを調整するときに異なる一意の数に変化する、受信器と、
前記受信器に結合され、前記アップストリームメッセージに基づいてダウンストリームメッセージを生成するように構成されたプロセッサであって、前記ダウンストリームメッセージは、前記相関タグと、前記アップストリームメッセージが評価された後で表される前記相関タグに基づいて、前記ＯＮＵが較正を継続すべきであること、またはアクティブ化されるべきであることを示す較正識別（ＩＤ）とを含む、プロセッサと、
前記プロセッサに結合され、前記ダウンストリームメッセージを前記ＯＮＵに送信するように構成された送信器と
を備えることを特徴とするＯＬＴ。
【請求項２】
前記較正ＩＤは「０」ビットおよび較正ステータスビットを含む、請求項１に記載のＯＬＴ。
【請求項３】
較正ステータスビットは前記ＯＮＵが較正を継続すべきであることを示す第１のバイナリ値を有し、前記較正ステータスビットは前記ＯＮＵがアクティブ化されるべきであることを示す第２のバイナリ値を有し、前記第１のバイナリ値と前記第２のバイナリ値とは異なる、請求項１または２に記載のＯＬＴ。
【請求項４】
前記ダウンストリームメッセージはアップストリーム波長チャネルＩＤをさらに含み、前記アップストリーム波長チャネルＩＤは、較正ステータスビットが第１のバイナリ値を有するときに前記アップストリーム波長が較正されている波長チャネルを示し、前記アップストリーム波長チャネルＩＤは、前記較正ステータスビットが第２のバイナリ値を有するときにアクティブ化の準備ができている波長チャネルを示す、請求項１〜３のいずれか一項に記載のＯＬＴ。
【請求項５】
前記アップストリームメッセージの評価は、前記ＯＮＵが正しい波長および出力を有するアップストリーム信号を送信するかどうか、前記ＯＮＵがさらにアップストリーム波長チャネルを較正する必要があるかどうか、および前記ＯＮＵが既存の制御パラメータの下で動作のためにアクティブ化される準備ができているかどうかを決定することを含む、請求項１〜４のいずれか一項に記載のＯＬＴ。
【請求項６】
光ネットワークユニット（ＯＮＵ）であって、
光回線終端装置（ＯＬＴ）にアップストリームメッセージを送信するように構成された送信器であって、前記アップストリームメッセージは相関タグを含み、前記相関タグは一意の数を表し、前記相関タグは前記ＯＮＵを他のＯＮＵと区別する第１の値を含み、前記第１の値は、前記ＯＮＵがアップストリーム光信号の波長および出力のうちの少なくとも１つを調整するときに第２の値に変化する、送信器と、
前記送信器に結合され、前記ＯＬＴからダウンストリームメッセージを受信するように構成された受信器であって、前記ダウンストリームメッセージは、前記相関タグと較正ＩＤとを含み、前記較正ＩＤは、前記相関タグに基づいて、前記ＯＮＵが較正を継続すべきであること、またはアクティブ化されるべきであることを示す、受信器と
を備えることを特徴とするＯＮＵ。
【請求項７】
前記較正ＩＤは「０」ビットおよび較正ステータスビットを含む、請求項６に記載のＯＮＵ。
【請求項８】
較正ステータスビットが第１のバイナリ値を有するとき、前記ＯＮＵが較正を継続すべきであることを示し、前記較正ステータスビットが第２のバイナリ値を有するとき、前記ＯＮＵがアクティブ化されるべきであることを示し、前記第１のバイナリ値と前記第２のバイナリ値とは異なる、請求項６または７に記載のＯＮＵ。
【請求項９】
前記ダウンストリームメッセージはアップストリーム波長チャネルＩＤをさらに含み、較正ステータスビットが第１のバイナリ値を有するとき、前記ＯＮＵは前記アップストリーム波長チャネルＩＤにより示される前記アップストリーム波長チャネルが較正されていることを決定し、前記較正ステータスビットが第２のバイナリ値を有するとき、前記ＯＮＵは前記アップストリーム波長チャネルＩＤにより示される前記アップストリーム波長チャネルのアクティブ化の準備ができていることを決定する、請求項６〜８のいずれか一項に記載のＯＮＵ。
【請求項１０】
光回線終端装置（ＯＬＴ）のオンライン較正のための方法であって、
光ネットワークユニット（ＯＮＵ）からアップストリームメッセージを受信することであって、前記アップストリームメッセージは相関タグを含み、前記相関タグは一意の数を表し、前記相関タグは前記ＯＮＵのアップストリーム波長およびアップストリーム出力のうちの少なくとも１つを示し、前記一意の数は、前記ＯＮＵがアップストリーム光信号の波長および出力のうちの少なくとも１つを調整するときに異なる一意の数に変化する、アップストリームメッセージを受信することと、
前記アップストリームメッセージに基づいてダウンストリームメッセージを生成することであって、前記ダウンストリームメッセージは、前記相関タグと、前記アップストリームメッセージが評価された後で表される前記相関タグに基づいて、前記ＯＮＵが較正を継続すべきであること、またはアクティブ化されるべきであることを示す較正識別（ＩＤ）とを含む、ダウンストリームメッセージを生成することと、
前記ダウンストリームメッセージを前記ＯＮＵに送信することと
を含むことを特徴とする方法。
【請求項１１】
前記較正ＩＤは「０」ビットおよび較正ステータスビットを含み、前記較正ステータスビットは前記ＯＮＵが較正を継続すべきであることを示す第１のバイナリ値を有し、前記較正ステータスビットは前記ＯＮＵがアクティブ化されるべきであることを示す第２のバイナリ値を有し、前記第１のバイナリ値と前記第２のバイナリ値とは異なる、請求項１０に記載の方法。
【請求項１２】
前記ダウンストリームメッセージはアップストリーム波長チャネルＩＤをさらに含み、前記アップストリーム波長チャネルＩＤは、較正ステータスビットが第１のバイナリ値を有するときに前記アップストリーム波長が較正されている波長チャネルを示し、前記アップストリーム波長チャネルＩＤは、前記較正ステータスビットが第２のバイナリ値を有するときにアクティブ化の準備ができている前記波長チャネルを示す、請求項１０または１１に記載の方法。
【請求項１３】
前記アップストリームメッセージの評価は、前記ＯＮＵが正しい波長および出力を有するアップストリーム信号を送信するかどうか、前記ＯＮＵがさらにアップストリーム波長チャネルを較正する必要があるかどうか、および前記ＯＮＵが既存の制御パラメータの下で動作のためにアクティブ化される準備ができているかどうかを決定する、請求項１０〜１２のいずれか一項に記載の方法。
【請求項１４】
光ネットワークユニット（ＯＮＵ）のオンライン較正のための方法であって、
光回線終端装置（ＯＬＴ）にアップストリームメッセージを送信することであって、前記アップストリームメッセージは相関タグを含み、前記相関タグは一意の数を表し、前記相関タグは前記ＯＮＵを他のＯＮＵと区別する第１の値を含み、前記第１の値は、前記ＯＮＵがアップストリーム光信号の波長および出力のうちの少なくとも１つを調整するときに第２の値に変化する、アップストリームメッセージを送信することと、
前記ＯＬＴからダウンストリームメッセージを受信することであって、前記ダウンストリームメッセージは前記相関タグと較正ＩＤとを含み、前記較正ＩＤは、前記相関タグに基づいて、前記ＯＮＵが較正を継続すべきであること、またはアクティブ化されるべきであることを示す、ダウンストリームメッセージを受信することと
を含むことを特徴とする方法。
【請求項１５】
前記較正ＩＤは「０」ビットおよび較正ステータスビットを含み、前記較正ステータスビットが第１のバイナリ値を有するとき、前記ＯＮＵは較正を継続すべきであり、前記較正ステータスビットが第２のバイナリ値を有するとき、前記ＯＮＵはアクティブ化されるべきであり、前記第１のバイナリ値および前記第２のバイナリ値は異なる、請求項１４に記載の方法。
【請求項１６】
前記ダウンストリームメッセージはアップストリーム波長チャネルＩＤをさらに含み、前記較正ステータスビットが前記第１のバイナリ値を有するとき、前記ＯＮＵは前記アップストリーム波長チャネルＩＤにより示される前記アップストリーム波長チャネルが較正されていることを決定し、前記較正ステータスビットが前記第２のバイナリ値を有するとき、前記ＯＮＵは前記アップストリーム波長チャネルＩＤにより示される前記アップストリーム波長チャネルのアクティブ化の準備ができていることを決定する、請求項１５に記載の方法。
【発明の詳細な説明】
【背景技術】
【０００１】
関連出願の相互参照
本出願は、参照によりその全体が組み込まれる、Ｘｕｍｉｎｇ  Ｗｕらによる「Ｏｐｔｉｃａｌ  Ｌｉｎｅ  Ｔｅｒｍｉｎａｌ（ＯＬＴ）Ｓｕｐｐｏｒｔ  ｏｆ  Ｏｐｔｉｃａｌ  Ｎｅｔｗｏｒｋ  Ｕｎｉｔ（ＯＮＵ）Ｃａｌｉｂｒａｔｉｏｎ」という名称の、２０１４年６月２５日に出願された米国特許仮出願第６２／０１６，８５２号明細書および２０１５年５月１５日に出願された非仮出願第１４／７１３，５５０号明細書に対する優先権を主張する。
【０００２】
受動光ネットワーク（ＰＯＮ）は、顧客に通信を配信する電気通信ネットワークの最終部分であるラストマイルを介して、ネットワークアクセスを提供するためのシステムの１つである。ＰＯＮは、中央局（ＣＯ）における光回線終端装置（ＯＬＴ）と、光分配ネットワーク（ＯＤＮ）と、ユーザ構内における光ネットワークユニット（ＯＮＵ）と、からなるポイントツーマルチポイント（Ｐ２ＭＰ）ネットワークである。ＰＯＮはまた、例えば複数の顧客がいる道路の端部において、ＯＬＴとＯＮＵとの間に位置するリモートノード（ＲＮ）を含むことがある。
【０００３】
近年、ギガビット対応ＰＯＮ（ＧＰＯＮ）やイーサネットＰＯＮ（ＥＰＯＮ）など、時分割多重化（ＴＤＭ）ＰＯＮが、マルチメディアアプリケーションのために世界中で展開されてきた。ＴＤＭ  ＰＯＮでは、時分割多元接続（ＴＤＭＡ）方式を使用して総容量が複数のユーザ間で共有され、したがって、ユーザごとの平均帯域幅は、１００メガビット／秒（Ｍｂ／ｓ）未満に制限されることがある。
【０００４】
波長分割多重化（ＷＤＭ）ＰＯＮは、将来のブロードバンドアクセスサービスのための非常に有望な解決法と考えられる。ＷＤＭ  ＰＯＮは、１０ギガビット／秒（Ｇｂ／ｓ）までの専用帯域幅を有する高速リンクを提供することができる。波長分割多元接続（ＷＤＭＡ）方式を採用することによって、ＷＤＭ  ＰＯＮ中の各ＯＮＵは、専用波長チャネルによってサービスされて、ＣＯまたはＯＬＴと通信する。次世代ＰＯＮ（ＮＧ−ＰＯＮ）およびＮＧ−ＰＯＮ２は、ポイントツーポイントＷＤＭ  ＰＯＮ（Ｐ２Ｐ−ＷＤＭ  ＰＯＮ）を含むことがあり、これは、１０Ｇｂ／ｓよりも高いデータレートを提供することがある。
【０００５】
ＮＧ−ＰＯＮおよびＮＧ−ＰＯＮ２はまた、時分割・波長分割多重化（ＴＷＤＭ）ＰＯＮを含むこともあり、これもまた、１０Ｇｂ／ｓよりも高いデータレートを提供することがある。ＴＷＤＭ  ＰＯＮは、ＴＤＭＡとＷＤＭＡを組み合わせてより高い容量をサポートしてよく、それにより、増加された数のユーザが、１ユーザ当たりの十分な帯域幅を有する単一のＯＬＴによってサービスされることが可能である。ＴＷＤＭ  ＰＯＮでは、ＷＤＭ  ＰＯＮがＴＤＭ  ＰＯＮの上に重ねられてよい。言い換えれば、異なる複数の帯域幅が共に多重化されて単一のフィーダファイバが共有されてよく、各波長は、ＴＤＭＡを使用して複数のユーザによって共有されてよい。
【発明の概要】
【０００６】
一実施形態では、本開示は、ＯＬＴチャネル終端器（ＣＴ）を含み、このＯＬＴ  ＣＴは、相関タグを含むアップストリームメッセージをＯＮＵから受け取るように構成された受信器であって、相関タグが一意の数を表す、受信器と、受信器に結合され、アップストリームメッセージを処理してアップストリームメッセージに基づいてダウンストリームメッセージを生成するように構成されたプロセッサであって、ダウンストリームメッセージが相関タグを含む、プロセッサと、プロセッサに結合され、ダウンストリームメッセージをＯＮＵに送信するように構成された送信器と、を備える。
【０００７】
別の実施形態では、本開示は、ＯＮＵを含み、このＯＮＵは、アップストリームメッセージをＯＬＴ  ＣＴに送信するように構成された送信器であって、アップストリームメッセージが相関タグを含み、相関タグが一意の数を表す、送信器と、送信器に結合され、ダウンストリームメッセージをＯＬＴ  ＣＴから受け取るように構成された受信器であって、ダウンストリームメッセージが相関タグを含む、受信器と、を備える。
【０００８】
さらに別の実施形態では、本開示は、ＯＮＵオンライン較正のための方法を含み、この方法は、アップストリームメッセージをＯＮＵから受信するステップであって、アップストリームメッセージが相関タグを含み、相関タグが一意の数を表す、ステップと、アップストリームメッセージに基づいてダウンストリームメッセージを生成するステップであって、ダウンストリームメッセージが相関タグを含む、ステップと、ダウンストリームメッセージをＯＮＵに送信するステップと、を含む。
【０００９】
さらに別の実施形態では、本開示は、ＯＮＵオンライン較正のための別の方法を含み、この方法は、アップストリームメッセージをＯＬＴ  ＣＴに送信するステップであって、アップストリームメッセージが相関タグを含み、相関タグが一意の数を表す、ステップと、ダウンストリームメッセージをＯＬＴ  ＣＴから受信するステップであって、ダウンストリームメッセージが相関タグを含む、ステップと、を含む。
【００１０】
これらおよび他の特徴は、添付の図面および特許請求の範囲と共に読まれる後続の詳細な記述から、よりはっきりと理解されるであろう。
【図面の簡単な説明】
【００１１】
本開示のより完全な理解のために、次に、同じ参照番号が同じ部分を表す添付の図面および詳細な記述と共に読まれる以下の簡単な記述が参照される。
【図１】ＴＷＤＭ  ＰＯＮの概略図である。
【図２】ＯＮＵオンライン較正を例示するメッセージシーケンス図である。
【図３】本開示の実施形態による、ＯＮＵオンライン較正のための方法を例示するフローチャートである。
【図４】本開示の実施形態による、ＯＮＵオンライン較正のための別の方法を例示するフローチャートである。
【発明を実施するための形態】
【００１２】
１つまたは複数の実施形態の例示的な実装形態が以下に提供されるが、開示されるシステムおよび／または方法は、現在知られている技法であろうと現存する技法であろうと、任意の数の技法を使用して実装され得ることを最初に理解されたい。本開示は、本明細書で例示および記述される例示的な設計および実装形態を含めた、以下に示される例示的な実装形態、図面、および技法に限定されるべきでは決してなく、添付の請求項の均等物の全範囲と共に、添付の請求項の範囲内で修正されてよい。
【００１３】
先行するＰＯＮ技術は、単一波長ＰＯＮであり、単一のＯＬＴ  ＣＴを有するＯＬＴを採用するが、この単一のＯＬＴ  ＣＴが、ＯＮＵと通信するＯＬＴポートである。したがって、先行するＰＯＮ技術は、ＯＮＵ波長調整をサポートしない。ＷＤＭ  ＰＯＮ、Ｐ２Ｐ−ＷＤＭ  ＰＯＮ、およびＴＷＤＭ  ＰＯＮなど、複数波長ＰＯＮを含めた、ＮＧ−ＰＯＮおよびＮＧ−ＰＯＮ２は、複数の波長をサポートするために、複数のＯＬＴ  ＣＴを有することがある。各ＯＬＴ  ＣＴは、アップストリーム波長とダウンストリーム波長との対においてデータ伝送を提供してよい。アップストリームは、ＯＮＵからＯＬＴへの通信方向を指すことがある。他方、ダウンストリームは、ＯＬＴからＯＮＵへの通信方向を指すことがある。
【００１４】
通常のＴＷＤＭ  ＰＯＮでは、ダウンストリーム方向とアップストリーム方向の両方で、８個までの波長があることがある。較正は、ＯＮＵが送信するアップストリーム光信号の波長を、特定の誤差範囲内で調節するプロセスである。較正は、性能劣化を経験しつつある、較正されていないＯＮＵ、またはすでに較正されたかもしくは事前較正済みのＯＮＵにとって、必要であることがある。オフライン較正は、ＯＮＵがＰＯＮに登録する前に事前較正されるときの較正を指すことがある。ＯＮＵは、機能しているすべてのアップストリーム波長チャネルの波長を知っていることがあり、特定のチャネル中で送信するためにどのようにそれ自体を較正するかを知っていることがある。オンライン較正は、どのアップストリーム波長チャネルを使用すべきかをＯＬＴから決定するためにＯＮＵがＰＯＮに登録しなければならないときの較正を指すことがある。ＯＮＵは、機能しているどんなアップストリーム波長チャネルの波長も知らないことがあり、または、特定のアップストリーム波長チャネル中で送信するためにどのようにそれ自体を較正するかを知らないことがある。
【００１５】
既存の標準草案、国際電気通信連合−電気通信（ＩＴＵ−Ｔ）標準化部門Ｇ．９８９．３（草案ＩＴＵ−Ｔ  Ｇ．９８９．３）は、ＯＮＵオンライン較正のためのプロセスを開示する。電源投入後、ＯＮＵは、ダウンストリーム走査および較正を行う。ＯＮＵは、アップストリームチャネル較正のためのダウンストリームチャネルを選択する。ＯＮＵは、選択されたダウンストリームチャネルから、システムおよびチャネルプロファイルを知る。較正の一部として、ＯＮＵは、アップストリームメッセージをＯＬＴに送る。
【００１６】
しかし、草案ＩＴＵ−Ｔ  Ｇ．９８９．３では、アップストリームメッセージに対する、ＯＬＴからＯＮＵへの直接応答は提供されない。したがって、ＯＮＵは、オンライン較正のための十分な情報を有さない。例えば、ＯＮＵは、ＯＮＵのアップストリーム波長が正しいかどうか、ＯＮＵがより多くのアップストリーム波長チャネルを較正する必要があるかどうか、およびＯＮＵが動作のためにアップストリーム波長チャネルをアクティブ化する準備ができているかどうか、がわからない。
【００１７】
本明細書では、ＯＮＵのオンライン較正に関する実施形態が開示される。ＯＮＵは、一意のインデックス番号を含むアップストリームメッセージをＯＬＴ  ＣＴに送信する。ＯＬＴ  ＣＴは、アップストリームメッセージを受信し、アップストリームメッセージに基づいて、一意のインデックス番号を含むダウンストリームメッセージをＯＮＵに送信する。アップストリームメッセージとダウンストリームメッセージとは両方とも、物理層運用管理保守（physical layer operation, administration and maintenance）（ＰＬＯＡＭ）メッセージであってよい。開示される実施形態は、ＴＷＤＭ  ＰＯＮに関するものだが、ＯＮＵオンライン較正をサポートするどんなＰＯＮにも適用し得る。
【００１８】
図１は、ＴＷＤＭ  ＰＯＮ１００の概略図である。ＴＷＤＭ  ＰＯＮ１００は、開示される実施形態を実装するのに適していてよい。ＴＷＤＭ  ＰＯＮ１００は、ＯＬＴ１０５とＯＮＵ1〜n１５０1〜nとの間でデータを分配するためにどんな能動コンポーネントも必要としない通信ネットワークであってよい。その代り、ＴＷＤＭ  ＰＯＮ１００は、受動光コンポーネントを使用して、ＯＬＴ１０５とＯＮＵ1〜n１５０1〜nとの間でデータを配信してよい。ＴＷＤＭ  ＰＯＮ１００は、複数波長ＰＯＮに関係する任意の標準に準拠してよい。ＴＷＤＭ  ＰＯＮ１００は、ＯＬＴ１０５、スプリッタ１４０、およびＯＮＵ1〜n１５０1〜nを含み、ここで、ｎは任意の正の整数であってよい。
【００１９】
ＯＬＴ１０５は、ＯＮＵ1〜n１５０1〜nおよび別のネットワークと通信するように構成された任意のデバイスであってよい。具体的には、ＯＬＴ１０５は、別のネットワークとＯＮＵ1〜n１５０1〜nとの間の中継として動作してよい。例えば、ＯＬＴ１０５は、ネットワークから受信されたデータをＯＮＵ1〜n１５０1〜nに転送してよく、ＯＮＵ1〜n１５０1〜nから受信されたデータを別のネットワークに転送してよい。別のネットワークが、ＴＷＤＭ  ＰＯＮ１００中で使用されるＰＯＮプロトコルとは異なるネットワークプロトコルを使用するときは、ＯＬＴ１０５は、ネットワークプロトコルをＰＯＮプロトコルに変換するコンバータを備えてよい。ＯＬＴ１０５コンバータはまた、ＰＯＮプロコルをネットワークプロトコルに変換してもよい。
【００２０】
ＯＬＴ１０５は、媒体アクセス制御（ＭＡＣ）モジュール１１０、ＯＬＴ  ＣＴ1〜m１１５1〜m、波長マルチプレクサ（ＷＭ）１２０、波長デマルチプレクサ（ＷＤＥＭ）１２５、局部発振器（ＬＯ）１３０、および双方向光増幅器（ＯＡ）１３５を備えてよい。ＭＡＣモジュール１１０は、プロトコルスタック中の物理層で使用するための信号を処理するのに適した任意のモジュールであってよい。ＷＭ１２０は、アレイ導波路回折格子（ＡＷＧ）など、任意の適切な波長マルチプレクサであってよい。ＷＭ１２０は、波長チャネルを多重化してよく、したがって、信号を結合して結合済み送信信号にし、次いで、結合済み送信信号をＬＯ１３０に転送してよい。ＬＯ１３０は、ＯＮＵ1〜n１５０1〜nが信号を適正に抽出するように、結合済み送信信号に特性を追加してよい。次いで、ＬＯ１３０は、結合済み送信信号をＯＡ１３５に転送してよく、ＯＡ１３５は、光ファイバ１３７を介して結合済み送信信号をスプリッタ１４０に転送するために、必要に応じて結合済み送信信号を増幅してよい。ＯＡ１３５はまた、光ファイバ１３７を介して結合済み受信信号をスプリッタ１４０から受信してよく、結合済み受信信号をＷＤＥＭ１２５に転送するために、必要に応じて結合済み受信信号を増幅してよい。ＷＤＥＭ１２５は、ＷＭ１２０と同様であってよく、結合済み受信信号を複数の光信号に多重分離し、次いで複数の光信号をＯＬＴ  ＣＴ1〜m１１５1〜mに転送してよい。
【００２１】
スプリッタ１４０は、結合済み光信号を分割して分割済み信号をＯＮＵ1〜n１５０1〜nに転送するのに適した、任意のデバイスであってよい。スプリッタ１４０はまた、ＯＮＵ1〜n１５０1〜nから信号を受信し、これらの信号を結合して結合済み受信信号にし、結合済み受信信号をＯＡ１３５に転送するのに適した、任意のデバイスであってよい。例えば、スプリッタ１４０は、ダウンストリーム方向（例えば、ＯＬＴ１０５からＯＮＵ1〜n１５０1〜nへ）で、ダウンストリーム光信号を分割してｎ個の分割済みダウンストリーム光信号にし、アップストリーム方向（例えば、ＯＮＵ1〜n１５０1〜nからＯＬＴ１０５へ）で、ｎ個のアップストリーム光信号を結合して１つの結合済み光信号にする。
【００２２】
ＯＮＵ1〜n１５０1〜nは、ＯＬＴ１０５と通信するのに適した任意のデバイスであってよい。ＯＮＵ1〜n１５０1〜nは、波長調整可能コンポーネント１５５1〜n、およびＭＡＣモジュール1〜n１６０1〜nを備えてよい。波長調整可能コンポーネント１５５1〜nは、波長調整可能送信器および波長調整可能フィルタ（図示せず）を含む。ＭＡＣモジュール1〜n１６０1〜nは、ＭＡＣモジュール１１０と同様である。
【００２３】
ＴＷＤＭ  ＰＯＮ１００は、複数の波長が存在するようにダウンストリーム波長（例えば、λ１ｄ、λ２ｄ、．．．、およびλｎｄ）ならびにアップストリーム波長（例えば、λ１ｕ、λ２ｕ、．．．、およびλｎｕ）を各ＯＬＴ  ＣＴ1〜m１１５1〜mに関連付けることによって、ＷＤＭ機能を提供してよい。次いで、ＴＷＤＭ  ＰＯＮ１００は、これらの波長を単一の光ファイバ１３７に結合し、スプリッタ１４０を介して波長をＯＮＵ1〜n１５０1〜nに分配してよい。ＴＷＤＭ  ＰＯＮ１００は、ＴＤＭもまた提供することがある。
【００２４】
図２は、ＯＮＵオンライン較正を示すメッセージシーケンス図２００である。図１のＴＷＤＭ  ＰＯＮ１００が、ＯＮＵオンライン較正を実装してよい。図２００は、ＯＬＴ  ＣＴ２１０とＯＮＵ２２０との間で交換されるメッセージを例示する。ＯＬＴ  ＣＴ２１０およびＯＮＵ２２０は、任意のＯＬＴ  ＣＴ1〜m１１５1〜mおよび任意のＯＮＵ1〜n１５０1〜nであってよい。
【００２５】
ＯＮＵ２２０は、その受信器および送信器を初期化し較正する（図示せず）。初期化は、ＯＬＴ  ＣＴ２１０に対する自動設定およびレンジングを含んでよい。送信器および受信器の自己較正は、ＯＮＵ上の温度、電流、および電圧を含めた制御パラメータを調節することによって、送信器が送信するアップストリーム光信号、および受信器が受信するダウンストリーム光信号の波長を較正することを含んでよい。自己較正の後、ＯＮＵ２２０の送信器が送信するアップストリーム光信号の波長は、ＯＬＴ  ＣＴ２１０の受信器が受信するアップストリーム光信号の波長と合致するはずである。同様に、ＯＮＵ２２０の受信器が受信するダウンストリーム光信号の波長は、ＯＬＴ  ＣＴ２１０の送信器が送信する光信号のダウンストリーム波長と合致するはずである。
【００２６】
ＯＮＵ２２０は、アップストリームメッセージ２３０をＯＬＴ  ＣＴ２１０に送信する。アップストリームメッセージ２３０は、ＰＬＯＡＭメッセージであり、ＯＮＵ２２０を他のＯＮＵと区別する相関タグを含む。相関タグは、様々な形の、０でない一意の数を表してよい。例えば、相関タグは、１６ビットフィールド中の、０でない一意の数を含んでよい。０でない一意の数は、ＯＮＵ２２０がアップストリーム光信号の波長、出力、または両方を調整したとき、０でない一意の異なる数に変化する。
【００２７】
ＯＬＴ  ＣＴ２１０は、アップストリームメッセージ２３０を受信し、アップストリームメッセージ２３０を評価し、ダウンストリームメッセージ２４０をＯＮＵ２２０に送信する。アップストリームメッセージ２３０の評価は、ＯＮＵ２２０が正しい波長および出力でアップストリーム信号を送信するかどうか、ＯＮＵ２２０がより多くのアップストリーム波長チャネルを較正する必要があるかどうか、およびＯＮＵ２２０が既存の制御パラメータの下で動作するためにアクティブ化される準備ができているかどうか、を決定することを含む。ダウンストリームメッセージ２４０もまた、ＰＬＯＡＭメッセージである。
【００２８】
一実施形態では、ダウンストリームメッセージ２４０は、ＯＬＴ  ＣＴ２１０によって作成された新しい較正ダウンストリームメッセージであってよい。表１は、本開示の実施形態による、ダウンストリームメッセージ２４０のパラメータを記述する。ダウンストリームメッセージ２４０は、割り当てられていないＯＮＵ識別（ＩＤ）、メッセージタイプＩＤ、シーケンス番号（ＳｅｑＮｏ）、ベンダ特有のシリアル番号、メッセージインデックス、較正ＩＤ、アップストリーム波長チャネルＩＤ、受信信号強度インジケータ（ＲＳＳＩ）、パディング、およびメッセージ保全性チェックを含む。メッセージインデックスは、アップストリームメッセージ２３０からコピーされた相関タグである。
【００２９】
較正ＩＤは、「０」ビットおよび較正ステータスビットを含む。例えば、表１は、較正ＩＤが８ビット、すなわち、７つの「０」ビットおよびそれに続く較正ステータスビットを含むことを示す。較正ステータスビットは、ＯＬＴ  ＣＴ２１０の、アップストリームメッセージ２３０の評価に基づいて決定される。較正ステータスビットは、ＯＮＵ２２０が較正を継続すべきであることを示す第１のバイナリ値と、ＯＮＵ２２０が動作のためにアクティブ化されるべきであることを示す第２のバイナリ値とを有し、ここで、第１のバイナリ値と第２のバイナリ値とは異なる。一実施形態では、表１は、第１のバイナリ値が０であり、第２のバイナリ値が１であることを示す。別の実施形態では、第１のバイナリ値は１であってよく、第２のバイナリ値は０であってよい。
【００３０】
アップストリーム波長チャネルＩＤは、較正ステータスビットが第１のバイナリ値（例えば、表１に示されるように０）を有するときにアップストリーム波長が較正されているアップストリーム波長チャネルと、較正ステータスビットが第２のバイナリ値（例えば、表１に示されるように１）を有するときにアクティブ化の準備ができているアップストリーム波長チャネルと、のいずれかである。ＲＳＳＩは、ＯＬＴ  ＣＴ２１０においてＯＮＵ２２０から受信された光出力を示す。ＲＳＳＩは、オンライン較正のための基準として、ＯＮＵ２２０によって使用されてよい。
【００３１】
【表１】
0006367983.tif 000002
【００３２】
別の実施形態では、ダウンストリームメッセージ２４０は、改訂されたＰＬＯＡＭメッセージであってよく、例えば、改訂されたアップストリーム波長チャネル情報（ＵＳ＿ＷＬＣＨ＿ＩＮＦＯ）ＰＬＯＡＭメッセージ、または改訂されたａｓｓｉｇｎ＿ＯＮＵ＿ＩＤ  ＰＬＯＡＭメッセージであってよい。表２は、本開示の別の実施形態による、ダウンストリームメッセージ２４０のパラメータを記述する。ダウンストリームメッセージ２４０は、既存のＵＳ＿ＷＬＣＨ＿ＩＮＦＯ  ＰＬＯＡＭメッセージに、メッセージインデックス、較正ＩＤ、アップストリーム波長チャネルＩＤ、およびＲＳＳＩを追加することによって生成される。
【００３３】
【表２】
0006367983.tif 000003
【００３４】
表３は、本開示のさらに別の実施形態による、ダウンストリームメッセージ２４０のパラメータを記述する。ダウンストリームメッセージ２４０は、既存のａｓｓｉｇｎ＿ＯＮＵ＿ＩＤ  ＰＬＯＡＭメッセージに、メッセージインデックス、較正ＩＤ、アップストリーム波長チャネルＩＤ、およびＲＳＳＩを追加することによって生成される。較正ＩＤが００００００００であるとき、ＯＮＵ  ＩＤは、ＯＮＵによって無視されるべきである。
【００３５】
【表３】
0006367983.tif 000004
【００３６】
図３は、本開示の実施形態による、ＯＮＵオンライン較正のための方法３００を例示するフローチャートである。方法３００は、ＯＮＵをアクティブ化するためにＯＬＴ  ＣＴ中で実装される。例えば、ＯＬＴ  ＣＴおよびＯＮＵは、ＯＬＴ  ＣＴ1１１５1およびＯＮＵ1１５０1であってよい。ブロック３１０で、相関タグを含むアップストリームメッセージが、ＯＮＵから受信される。相関タグは、ＯＮＵを他のＯＮＵと区別する一意の数を表す。一意の数は、ＯＮＵがアップストリーム光信号の波長、出力、または両方を調整したとき、異なる数に変化する。ブロック３２０で、アップストリームメッセージに基づいてダウンストリームメッセージが生成される。ダウンストリームメッセージは、相関タグを含む。ブロック３３０で、ダウンストリームメッセージはＯＮＵに送信される。
【００３７】
図４は、本開示の実施形態による、ＯＮＵオンライン較正のための別の方法４００を例示するフローチャートである。方法４００は、ＯＮＵをアクティブ化するためにＯＬＴ  ＣＴ中で実装される。例えば、ＯＬＴ  ＣＴおよびＯＮＵは、ＯＬＴ  ＣＴ1１１５1およびＯＮＵ1１５０1であってよい。ブロック４１０で、相関タグを含むアップストリームメッセージが、ＯＬＴ  ＣＴに送信される。相関タグは、ＯＮＵを他のＯＮＵと区別する一意の数を表す。一意の数は、ＯＮＵがアップストリーム光信号の波長、出力、または両方を調整したとき、異なる数に変化する。ブロック４２０で、相関タグを含むダウンストリームメッセージが、ＯＬＴ  ＣＴから受信される。
【００３８】
本開示ではいくつかの実施形態が提供されたが、開示されたシステムおよび方法は、本開示の主旨または範囲を逸脱することなく他の多くの特定の形で具現化され得ることは、理解され得る。本例は、制限的ではなく例示的なものと考えられるべきであり、その意図は本明細書で与えられる詳細に限定されるべきではない。例えば、様々な要素もしくはコンポーネントは、別のシステム中では結合もしくは統合されてよく、または、いくつかの特徴は、省略されるかもしくは実装されなくてもよい。
【００３９】
加えて、様々な実施形態で個別または別個として記述および例示された、技法、システム、サブシステム、および方法は、本開示の範囲を逸脱することなく、他のシステム、モジュール、技法、または方法と結合または統合されてもよい。相互に結合されるかまたは直接に結合されるかもしくは通信するものとして図示または考察された他のアイテムは、電気的にであろうと機械的にであろうと他の方法によってであろうと、何らかのインタフェース、デバイス、または中間コンポーネントを介して、間接的に結合されるかまたは通信してもよい。変更、代用、または改変の、他の例は、当業者によって確認可能であり、本明細書で開示される主旨および範囲を逸脱することなく行われてよい。
【図１】
0006367983.tif 000005
【図２】
0006367983.tif 000006
【図３】
0006367983.tif 000007
【図４】
0006367983.tif 000008